(57)【要約】【課題】  低コストで、ネットワークを複雑にすることなく、またネットワークに撮影データを送信する負担をかけずに、セキュリティ性を確保したシステムを提供する。【解決手段】パチンコ台１の前面の上部に設けられた呼出ランプ２に、パチンコ台１に対応して設けられている座席に座る遊技者を撮影できるような角度でCCDカメラ３を設け、CCDカメラ３とホールコンピューター４を直接接続せずに、呼出ランプ２を介してCCDカメラ３とホールコンピューター４を接続する構成とし、CCDカメラ３に着脱可能な記憶媒体５を挿入可能な構成とした。【選択図】図３
2008086565.tif 000002
【特許請求の範囲】
【請求項１】
遊技台に対応して設けられている座席に座る遊技者を撮影できるように、当該遊技台又はその近傍にカメラを設置し、当該カメラは着脱可能な記憶媒体が挿入されたインターフェイスを設け、当該カメラは撮影開始信号を受信した場合に撮影を行い、撮影データは前記カメラのインターフェイスに挿入されている前記着脱可能な記憶媒体に記録され、当該着脱可能な記憶媒体は随時当該カメラのインターフェイスから抜き取られてホールコンピューターのインターフェイスに挿入され、当該着脱可能な記憶媒体に記録されている前記撮影データを当該ホールコンピューターの記憶装置にコピーさせる構成とすることを特徴とする、遊技場内のセキュリティシステム。
【請求項２】
遊技台に対応して設けられている座席に座る遊技者を撮影できるように、当該遊技台又はその近傍にカメラを設置し、当該カメラは記憶装置を設けると共に、当該記憶装置に記録された撮影データを取り出すために、着脱可能な記憶媒体が挿入されるインターフェイスを設け、当該カメラは撮影開始信号を受信した場合に撮影を行い、撮影データは前記記憶装置に記録され、当該撮影データは随時前記カメラのインターフェイスに挿入される前記着脱可能な記憶媒体にコピーされ、当該着脱可能な記憶媒体は随時当該カメラのインターフェイスから抜き取られてホールコンピューターのインターフェイスに挿入され、当該着脱可能な記憶媒体に記録されている前記撮影データを当該ホールコンピューターの記憶装置にコピーさせる構成とすることを特徴とする、遊技場内のセキュリティシステム。
【請求項３】
遊技台に対応して設けられている座席に座る遊技者を撮影できるように、当該遊技台又はその近傍にカメラを設置し、当該カメラは揮発性記憶装置を設けると共に、当該揮発性記憶装置に記録された撮影データを取り出すために、着脱可能な記憶媒体が挿入されたインターフェイスを設け、当該カメラは常時撮影を行っており、撮影データは前記揮発性記憶装置に常時記録され、前記カメラがコピー開始信号を受信した場合に、前記インターフェイスに挿入されている前記着脱可能な記憶媒体に、前記揮発性記憶装置に記録されている前記撮影データが、一定時間遡ってコピーされ、当該着脱可能な記憶媒体は随時前記カメラのインターフェイスから抜き取られてホールコンピューターのインターフェイスに挿入され、当該着脱可能な記憶媒体に記録されている前記撮影データを当該ホールコンピューターの記憶装置にコピーさせる構成とすることを特徴とする、遊技場内のセキュリティシステム。
【請求項４】
遊技台に対応して設けられている座席に座る遊技者を撮影できるように、当該遊技台又はその近傍にカメラを設置し、当該カメラは揮発性記憶装置と記憶装置を設け、当該揮発性記憶装置と当該記憶装置は接続されており、前記カメラは当該記憶装置に記録された撮影データを取り出すために、着脱可能な記憶媒体が挿入されるインターフェイスを設け、当該カメラは常時撮影を行っており、撮影データは前記揮発性記憶装置に常時記録され、前記カメラがコピー開始信号を受信した場合に、前記記憶装置に、前記揮発性記憶装置に記録されている当該撮影データが、一定時間遡ってコピーされ、当該撮影データは随時前記カメラのインターフェイスに挿入される前記着脱可能な記憶媒体にコピーされ、当該着脱可能な記憶媒体は随時当該カメラのインターフェイスから抜き取られてホールコンピューターのインターフェイスに挿入され、当該着脱可能な記憶媒体に記録されている前記撮影データを当該ホールコンピューターの記憶装置にコピーさせる構成とすることを特徴とする、遊技場内のセキュリティシステム。
【請求項５】
前記撮影開始信号又は前記コピー開始信号は、前記呼出ランプから送信されたものであることを特徴とする、請求項１〜４のいずれかに記載の遊技場内のセキュリティシステム。
【請求項６】
前記カメラの設置箇所が、前記遊技台の前面の上方に設置されている呼出ランプ内であることを特徴とする、請求項１〜５のいずれかに記載の遊技場内のセキュリティシステム。
【請求項７】
前記呼出ランプに、前記撮影開始信号又は前記コピー開始信号を送信する発光部を設け、当該発光部の近傍に受光センサーを配置し、当該受光センサーと前記カメラを接続し、当該カメラは当該受光センサーから前記撮影開始信号又は前記コピー開始信号を受信した場合に、撮影又は撮影データのコピーを行う構成とすることを特徴とする、請求項１〜６のいずれかに記載の遊技場内のセキュリティシステム。
【請求項８】
前記遊技台又はその近傍に設けたカメラとは別に、遊技場の広い範囲を撮影できる位置に、前記ホールコンピューターに接続された第２カメラを設け、当該第２カメラは当該ホールコンピューターから撮影開始信号を受信すると、撮影を行う構成とすることを特徴とする、請求項１〜７のいずれかに記載の遊技場内のセキュリティシステム。
【発明の詳細な説明】
【技術分野】
【０００１】
この発明は、遊技場内における遊技者の不正を監視する遊技場内のセキュリティシステムに関する。
【背景技術】
【０００２】
従来から、遊技台の上部にカメラを設け、当該遊技台と対向する位置にある他の遊技台を監視する装置が知られている。また、遊技台やその近傍にカメラを設置して、遊技台の周辺を撮影し、遊技者の不正を監視する装置が知られている。
【特許文献１】特許第２５１４０８２号
【特許文献２】特許第２７０７５３２号
【発明の開示】
【発明が解決しようとする課題】
【０００３】
しかし、前者の装置では、対向する位置にある遊技台を使用している遊技者を背後から撮影することになるため、遊技者の背中を撮影するため、遊技者の的確な情報を得るのが難しかった。
【０００４】
一方、後者の装置は監視カメラを用いて撮影した映像を、ネットワークを介して録画装置に送信する構成となっており、そのネットワークを構築するには莫大な費用がかかるため、遊技場の経営者にとっては導入し難いものであった。
【０００５】
そこで、この発明は、低コストで、複雑なネットワークを構築することなくセキュリティ性を確保したシステムを提供しようとするものである。
【課題を解決するための手段】
【０００６】
請求項１の発明は、遊技台に対応して設けられている座席に座る遊技者を撮影できるように、当該遊技台又はその近傍にカメラを設置し、当該カメラは着脱可能な記憶媒体が挿入されたインターフェイスを設け、当該カメラは撮影開始信号を受信した場合に撮影を行い、撮影データは前記カメラのインターフェイスに挿入されている前記着脱可能な記憶媒体に記録され、当該着脱可能な記憶媒体は随時当該カメラのインターフェイスから抜き取られてホールコンピューターのインターフェイスに挿入され、当該着脱可能な記憶媒体に記録されている前記撮影データを当該ホールコンピューターの記憶装置にコピーさせる構成とする、遊技場内のセキュリティシステムとした。
【０００７】
請求項２の発明は、遊技台に対応して設けられている座席に座る遊技者を撮影できるように、当該遊技台又はその近傍にカメラを設置し、当該カメラは記憶装置を設けると共に、当該記憶装置に記録された撮影データを取り出すために、着脱可能な記憶媒体が挿入されるインターフェイスを設け、当該カメラは撮影開始信号を受信した場合に撮影を行い、撮影データは前記記憶装置に記録され、当該撮影データは随時前記カメラのインターフェイスに挿入される前記着脱可能な記憶媒体にコピーされ、当該着脱可能な記憶媒体は随時当該カメラのインターフェイスから抜き取られてホールコンピューターのインターフェイスに挿入され、当該着脱可能な記憶媒体に記録されている前記撮影データを当該ホールコンピューターの記憶装置にコピーさせる構成とする、遊技場内のセキュリティシステムとした。
【０００８】
請求項３の発明は、遊技台に対応して設けられている座席に座る遊技者を撮影できるように、当該遊技台又はその近傍にカメラを設置し、当該カメラは揮発性記憶装置を設けると共に、当該揮発性記憶装置に記録された撮影データを取り出すために、着脱可能な記憶媒体が挿入されたインターフェイスを設け、当該カメラは常時撮影を行っており、撮影データは前記揮発性記憶装置に常時記録され、前記カメラがコピー開始信号を受信した場合に、前記インターフェイスに挿入されている前記着脱可能な記憶媒体に、前記揮発性記憶装置に記録されている前記撮影データが、一定時間遡ってコピーされ、当該着脱可能な記憶媒体は随時前記カメラのインターフェイスから抜き取られてホールコンピューターのインターフェイスに挿入され、当該着脱可能な記憶媒体に記録されている前記撮影データを当該ホールコンピューターの記憶装置にコピーさせる構成とする、遊技場内のセキュリティシステムとした。
【０００９】
請求項４の発明は、遊技台に対応して設けられている座席に座る遊技者を撮影できるように、当該遊技台又はその近傍にカメラを設置し、当該カメラは揮発性記憶装置と記憶装置を設け、当該揮発性記憶装置と当該記憶装置は接続されており、前記カメラは当該記憶装置に記録された撮影データを取り出すために、着脱可能な記憶媒体が挿入されるインターフェイスを設け、当該カメラは常時撮影を行っており、撮影データは前記揮発性記憶装置に常時記録され、前記カメラがコピー開始信号を受信した場合に、前記記憶装置に、前記揮発性記憶装置に記録されている当該撮影データが、一定時間遡ってコピーされ、当該撮影データは随時前記カメラのインターフェイスに挿入される前記着脱可能な記憶媒体にコピーされ、当該着脱可能な記憶媒体は随時当該カメラのインターフェイスから抜き取られてホールコンピューターのインターフェイスに挿入され、当該着脱可能な記憶媒体に記録されている前記撮影データを当該ホールコンピューターの記憶装置にコピーさせる構成とする、遊技場内のセキュリティシステムとした。
【００１０】
請求項５の発明は、前記撮影開始信号又は前記コピー開始信号は、前記呼出ランプから送信されたものである、請求項１〜４のいずれかに記載の遊技場内のセキュリティシステムとした。
【００１１】
請求項６の発明は、前記カメラの設置箇所が、前記遊技台の前面の上方に設置されている呼出ランプ内である、請求項１〜５のいずれかに記載の遊技場内のセキュリティシステムとした。
【００１２】
請求項７の発明は、前記呼出ランプに、前記撮影開始信号又は前記コピー開始信号を送信する発光部を設け、当該発光部の近傍に受光センサーを配置し、当該受光センサーと前記カメラを接続し、当該カメラは当該受光センサーから前記撮影開始信号又は前記コピー開始信号を受信した場合に、撮影又は撮影データのコピーを行う構成とする、請求項１〜６のいずれかに記載の遊技場内のセキュリティシステムとした。
【００１３】
請求項８の発明は、前記遊技台又はその近傍に設けたカメラとは別に、遊技場の広い範囲を撮影できる位置に、前記ホールコンピューターに接続された第２カメラを設け、当該第２カメラは当該ホールコンピューターから撮影開始信号を受信すると、撮影を行う構成とする、請求項１〜７のいずれかに記載の遊技場内のセキュリティシステムとした。
【発明の効果】
【００１４】
請求項１〜５の発明によれば、カメラを遊技者と対面する位置に取り付けることにより当該遊技者が不正行為を行った場合に、当該遊技者を撮影することができ、この撮影データをホールコンピューターの記憶装置に記録しておけば、不正嫌疑者ファイル等を作成することができ、遊技場内のセキュリティ性が向上する。また撮影データはネットワークを通じてホールコンピューターに送信するのではなく、撮影データを着脱可能な記憶媒体に記録又はコピーし、その後、遊技場の従業員等が当該着脱可能な記憶媒体をカメラから抜き取り、ホールコンピューターに挿入して、当該ホールコンピューターの記憶装置に当該撮影データをコピーする構成とするため、既存のホールコンピューターと接続されたネットワークに撮影データの送信の負担をかけない。また前記効果に加えて請求項２及び４の発明によれば、カメラに記憶装置を設ける構成にしたため、当該記憶装置に記録された撮影データの中から必要なデータだけを選択して着脱可能な記憶媒体にコピーすることができる等、撮影データを直接当該着脱可能な記憶媒体に記録又はコピーする場合に比して、当該着脱可能な記憶媒体の数を必要とせず、コストダウンを図ることができる。
【００１５】
また前記効果に加えて請求項３及び４の発明によれば、カメラは常時遊技者の撮影を行っており、撮影データは常時揮発性記憶装置に記録されるため、カメラがコピー開始信号を受信する前の時点の撮影データも、遡って着脱可能な記憶媒体又は記憶装置に記録することができる。例えば、後述するパチンコ台の扉が遊技者によって開放された場合には、当該遊技者のパチンコ台の扉を開放するという不正行為以前の動作も、着脱可能な記憶媒体等に撮影データとして記録することができる。
【００１６】
請求項６の発明によれば、遊技者を撮影するカメラを呼出ランプ内に設ける構成としたため、カメラが設置されていることが気づかれにくく、不快感を与えることなく遊技者を正面から撮影することができる。請求項７の発明によれば、遊技者を撮影するカメラと呼出ランプを直接接続せず、当該カメラに受光センサーを接続して、当該受光センサーに呼出ランプの発光部の発光を検知させて、当該カメラが遊技者の撮影を行う構成としたため、当該カメラが独立した構成となり自由度が高まり、当該カメラを後付けする場合に便宜である。請求項８の発明によれば、遊技台のカメラと第２カメラの２種類のカメラで同時に不正嫌疑のかかった遊技者を撮影することで、呼出ランプ等に設けられたカメラで当該遊技者の顔面を撮影するとともに、第２カメラで遊技者の動向を追尾し、当該遊技者の容貌とその行動パターン等を把握することができ、分析に利用することができる。
【発明を実施するための最良の形態】
【００１７】
遊技台に対応して設けられている座席に座る遊技者を撮影できるように、当該遊技台又はその近傍にカメラを設置し、当該カメラは着脱可能な記憶媒体が挿入されたインターフェイスを設け、当該カメラは撮影開始信号を受信した場合に撮影を行い、撮影データは前記着脱可能な記憶媒体に記録され、当該着脱可能な記憶媒体は随時前記カメラのインターフェイスから抜き取られて、ホールコンピューターのインターフェイスに挿入され、当該着脱可能な記憶媒体に記録されている前記撮影データを当該ホールコンピューターの記憶装置にコピーさせる構成とし、ネットワークに撮影データを送信する負担をかけない、遊技場内のセキュリティシステムとした。
【実施例１】
【００１８】
以下、この発明をパチンコ台に応用した実施例１を図に基づいて説明する。
図１及び図２に示すように、パチンコ台１の上部に呼出ランプ２が設置されている。呼出ランプ２は、各パチンコ台１に対応して設けられているものであり、パチンコ台１に例えば玉詰まり等の不具合が生じたときに遊技者が呼出スイッチを押圧することにより点灯させ、遊技場の従業員に知らせたり、パチンコ台が大当たり状態になったときに自動的に点滅させたり、数種類の文字情報を表示させたりする機能を有するものである。そして呼出ランプ２内の適宜の箇所に、遊技台に対応して設けられている座席に座る遊技者をほぼ正面から撮影できるような角度で、CCD(＝Charge CoupledDevice )カメラ３が設けられている。CCDカメラ３は固定焦点のものでも、自動焦点整合機能を有しているものであってもよい。固定焦点のCCDカメラ３を用いればよりコストを低く抑えることが可能となる。また本実施例においては、遊技者の撮影手段として、CCDカメラ３を採用しているが、電子スチルカメラ、テレビカメラ等を用いる構成にしてもよく、要は遊技者の顔を撮影できるものであればよい。更に、本実施例においては、CCDカメラ３を呼出ランプ２内に設ける構成を示しているが、CCDカメラ３を設ける箇所は、遊技台に対応して設けられている座席に座る遊技者の顔をほぼ正面から撮影できるような箇所であれば、パチンコ台１の盤面や呼出ランプ２の近傍、あるいはパチンコ台１やパチンコ台の間に挟まれていて玉を貸し出す台間機(図示省略)等に設ける構成にしてもよい。
【００１９】
次に図３は、本実施例の構成を概念的に示したブロック図である。パチンコ台１と呼出ランプ２とはネットワークで接続しており、呼出ランプ２はCCDカメラ３とホールコンピューター４とに接続している。またCCDカメラ３には、着脱可能な記憶媒体５を挿入するインターフェイス(図示省略)を設けている。CCDカメラ３に設けられているインターフェイスは、後述する着脱可能な記憶媒体５の種類に合わせて、例えば、USB接続端子やDVDドライブやSDメモリーカードスロットである。着脱可能な記憶媒体５は、例えばUSBメモリー、CD-ROM、DVD、SDメモリーカード、メモリースティック、ポータブルHDD等の周知の記憶媒体を用いることができ、要はCCDカメラ３のインターフェイスから取り外してホールコンピューター４のインターフェイス(図示省略)に挿入できるものであればよい。なお本実施例においては、上述の通り呼出ランプ２内にCCDカメラ３を配置し、CCDカメラ３内に着脱可能な記憶媒体５が配置される構成としているが、図３においては説明の便宜ため、ブロックを離している。
【００２０】
次に、図４を用いて本実施例の作動を説明する。一般的にパチンコ台には、遊技者にゴト行為等の不正行為を行わせないため、扉の開放を検知するセンサーが設けられている。このセンサーと呼出ランプ２は接続されており、パチンコ台１の扉が開放されるとセンサーは呼出ランプ２に扉開放信号を送信する。そして呼出ランプ２がこの扉開放信号を受信すると (S１)、呼出ランプ２はパチンコ台１の扉が開放された旨の信号をホールコンピューター４に送信し(S２)、またCCDカメラ３に撮影開始信号を送信する(S３)。CCDカメラ３が撮影を開始すると、着脱可能な記憶媒体５はCCDカメラ３の撮影データを記録する(S４)。なお当該着脱可能な記憶媒体５の記憶容量をオーバーした場合は、古いデータは上書きされて消える。
【００２１】
また、本実施例の別の作動を説明する。パチンコ台１は、客が獲得した「出玉」や打ち出された「打玉」等の遊技情報を、常時一定時間ごとに呼出ランプ２に送信する。呼出ランプ２はこれらの遊技情報をホールコンピューター４に送信し、ホールコンピューター４はこれらの遊技情報を元に演算を行い、演算の結果ゴト行為等の不正行為がパチンコ台１で行われていると判断した場合には、呼出ランプ２に異常検出信号を送信し(S５)、呼出ランプ２はCCDカメラ３に撮影開始信号を送信する(S３)。CCDカメラ３が撮影を開始すると、着脱可能な記憶媒体５はCCDカメラ３の撮影データを記録する(S４)。
【００２２】
ここでは、CCDカメラ３が呼出ランプ２から撮影開始信号を受信した場合をあげているが、撮影開始信号は呼出ランプ２からのものに限定されるものではない。また、CCDカメラ３による撮影形態は、静止画でも動画であってもよい。またCCDカメラ３が呼出ランプ２から撮影開始信号を受信する場合として、パチンコ台１の扉が開放されたパターンと、ホールコンピューター４が、ゴト行為等の不正行為がパチンコ台１で行われていると判断したパターンの２つのパターンで、撮影形態を切り替えてもよい。例えば、パチンコ台１の扉が開放されたパターンでは、扉が開放されてから閉まるまでを動画で撮影する。一方、ホールコンピューター４がゴト行為等の不正行為がパチンコ台１で行われていると判断したパターンでは、遊技者の顔の静止画を撮影する。
【００２３】
撮影データが記録された着脱可能な記憶媒体５は容量をオーバーする前に、例えば週に１度程度遊技場の従業員等によってCCDカメラ３のインターフェイスから抜き取られ、ホールコンピューター４のインターフェイスに挿入され、着脱可能な記憶媒体５に記録されている撮影データは、ホールコンピューター４のハードディスク等の記憶装置にコピーされる(S６)。ホールコンピューター４上で撮影データを見て遊技者の顔を確認することにより、常連客かどうか判断することもできる。また、不正行為があったことの認定とその行為者の確認を行うこともできる。さらに撮影データから不正行為嫌疑者ファイル等を作成できる。
【実施例２】
【００２４】
次に、この発明をパチンコ台に応用した実施例２を図５に基づいて説明する。本実施例においては、CCDカメラ３と呼出ランプ２は直接接続されていない。CCDカメラ３には発光を検知する受光センサー６が接続されており、呼出ランプ２には、CCDカメラ３に撮影を開始させる旨の指令を出す場合に発光する発光部が設けられている(図示省略)。受光センサー６は、呼出ランプ２の発光部の近傍に配置され、発光部からの発光を検知すると、CCDカメラ３に撮影開始信号を送信する。呼出ランプ２の発光部は、例えばダイオードや電球を内装することが考えられる。このような構成を採ることにより既存のパチンコ島(＝パチンコ台１の群)にも容易に設置することができる。すなわち、パチンコ島の呼出ランプ２に発光部を接続し、この発光部に対応する受光センサー６を発光部の近傍に配置し、受光センサー６とCCDカメラ３とを接続すればよい。従って少ない手順で既存の設備に容易に後付けが可能となる。なお本実施例においては、呼出ランプ２内にCCDカメラ３を配置し、CCDカメラ３内に着脱可能な記憶媒体５が配置される構成になっているが、図５においては説明の便宜ため、ブロックを離している。
【００２５】
本実施例のその他の構成、作用は実施例１と同様である。
【実施例３】
【００２６】
次に、この発明をパチンコ台に応用した実施例３を図６に基づいて説明する。本実施例においては、CCDカメラ３の内部の基板に内装等して、CCDカメラ３に小型の記憶装置７を設け、また記憶装置７に記録された撮影データを取り出すために、CCDカメラ３に着脱可能な記憶媒体５を挿入するインターフェイスを設ける(図示省略)。記憶装置７は、例えばハードディスクである。CCDカメラ３によって遊技者の撮影が行われると、記憶装置７に撮影データが記録される。その後、遊技場の従業員等がCCDカメラ３に設けられたインターフェイスに着脱可能な記憶媒体５を挿入し、記憶装置７に記録されている撮影データを着脱可能な記憶媒体５にコピーする。そして着脱可能な記憶媒体５は、従業員等によってCCDカメラ３のインターフェイスから抜き取られ、ホールコンピューター４のインターフェイスに挿入され、着脱可能な記憶媒体５に記録されている撮影データは、ホールコンピューター４のハードディスク等の記憶装置にコピーされる。なお、この記憶装置７に記録されている撮影データが、記憶装置７の容量をオーバーした場合には、古いデータは上書きされて消える。また本実施例においては、呼出ランプ２内にCCDカメラ３を配置し、CCDカメラ３内に記憶装置７が配置される構成になっているが、図６においては説明の便宜ため、ブロックを離している。
【００２７】
本実施例のその他の構成、作用は実施例１と同様である。
【実施例４】
【００２８】
次に、この発明をパチンコ台に応用した実施例４を図７に基づいて説明する。本実施例においては、CCDカメラ３の内部の基板に内装等して、CCDカメラ３に揮発性記憶装置８を設け、また揮発性記憶装置８に記録された撮影データを取り出すために、CCDカメラ３に着脱可能な記憶媒体５を挿入するインターフェイスを設ける(図示省略)。揮発性記憶装置８は、例えばRAM(Random AccessMemory )である。CCDカメラ３は常時遊技者の撮影を行っており、揮発性記憶装置８に撮影データは常時記録されている。なお、この揮発性記憶装置８は撮影データを常時記録しているが、撮影データが揮発性記憶装置８の容量をオーバーした場合には、古いデータは上書きされて消える。CCDカメラ３がコピー開始信号を受信した場合に、CCDカメラ３のインターフェイスに挿入されている着脱可能な記憶媒体５に、揮発性記憶装置８に記録されている撮影データが、一定時間遡ってコピーされる。着脱可能な記憶媒体５に撮影データがコピーされる場合とは、例えばパチンコ台１の扉が開放され、CCDカメラ３が呼出ランプ２からコピー開始信号を受信した場合及びホールコンピューター４が、ゴト行為等の不正行為がパチンコ台１で行われていると判断し、呼出ランプ２に異常検出信号を送信し、CCDカメラ３が呼出ランプ２からコピー開始信号を受信した場合が考えられるが、これらに限定されるものではない。一定時間遡ってコピーされる撮影データは例えば、CCDカメラ３が呼出ランプ２からの信号を受信する１０秒程度前からのものであるが、これに限定されるものではなく、設定により遡る時間は変更可能である。以上のような構成を採ることにより、不正行為を行う前から不正行為を行う一連の動作を記録することができる。従ってこの撮影データを分析することにより不正行為の具体的動作を解明でき、この動作を従業員等に予め知らせておけば、以後の不正行為の防止に役立てることができる。なお本実施例においては、呼出ランプ２内にCCDカメラ３を配置し、CCDカメラ３内に揮発性記憶装置８が配置される構成になっているが、図７においては説明の便宜ため、ブロックを離している。
【００２９】
本実施例のその他の構成、作用は実施例１と同様である。
【００３０】
また図８に示すように、CCDカメラ３に揮発性記憶装置８とハードディスク等の記憶装置７とを設け、この揮発性記憶装置８と記憶装置７を接続する構成にしてもよい。この場合には、CCDカメラ３がコピー開始信号を受信すると、揮発性記憶装置８に記録されている撮影データが記憶装置７に、一定時間遡ってコピーされる。その後、遊技場の従業員等がCCDカメラ３に設けられたインターフェイス(図示省略)に着脱可能な記憶媒体５を挿入し、記憶装置７に記録されている撮影データを着脱可能な記憶媒体５にコピーする。
【００３１】
次に前記実施例１〜４のいずれにも適用できる、更に高いセキュリティ性を確保した構成について説明する。遊技場の広い範囲を撮影できる位置に第２カメラを複数台設け、これらの第２カメラを夫々ホールコンピューター４に接続する。遊技場の広い範囲を撮影できる位置とは、例えば遊技場の天井の適宜の位置である。呼出ランプ２からパチンコ台１の扉が開放された旨の信号をホールコンピューター４が受信した場合及び呼出ランプ２から受信した「出玉」や「打玉」等の遊技情報を基にホールコンピューター４が行う演算の結果、ゴト行為等の不正行為がパチンコ台１で行われているとホールコンピューター４が判断した場合には、当該ホールコンピューター４は撮影開始信号を第２カメラに送信する。そして第２カメラは不正行為の嫌疑のかかった遊技者を追尾しながら撮影する。一方、パチンコ台１のCCDカメラ３は、前記したように撮影開始信号を受信すると遊技者を正面から撮影する。従って、CCDカメラ３と第２カメラの２種類のカメラで同時に不正嫌疑のかかった遊技者を撮影する。なお、各第２カメラは通常、遊技場内の俯瞰画像を撮影している。
【００３２】
なお、前記実施例１〜４においては、パチンコ台に応用した例を説明したが、この発明は回胴式遊技機にも応用することができる。
【図面の簡単な説明】
【００３３】
【図１】この発明の実施例１のパチンコ台と呼出ランプとCCDカメラの配置を示す正面図である。
【図２】この発明の実施例１のCCDカメラと遊技者の位置関係を示す側面図である。
【図３】この発明の実施例１の主な構成を概念的に示すブロック図である。
【図４】この発明の実施例１の作動を示す概念図である。
【図５】この発明の実施例２の主な構成を概念的に示すブロック図である。
【図６】この発明の実施例３の主な構成を概念的に示すブロック図である。
【図７】この発明の実施例４の主な構成を概念的に示すブロック図である。
【図８】この発明の実施例４の別の構成を概念的に示すブロック図である。
【符号の説明】
【００３４】
１  パチンコ台              ２  呼出ランプ
３  CCDカメラ               ４  ホールコンピューター
５  着脱可能な記憶媒体      ６  受光センサー
７  記憶装置                ８  揮発性記憶装置
【図１】
2008086565.tif 000003
【図２】
2008086565.tif 000004
【図３】
2008086565.tif 000005
【図４】
2008086565.tif 000006
【図５】
2008086565.tif 000007
【図６】
2008086565.tif 000008
【図７】
2008086565.tif 000009
【図８】
2008086565.tif 000010